(57)【要約】【課題】  ディスプレイの光照射面の全域を均一な明るさで照明することが出来るバックライト装置を提供する。【解決手段】  本発明に係るバックライト装置は、ディスプレイ３の背面と対向すべき反射面41と、該反射面41の一側方に配置されて該反射面に向けて光を放射するＬＥＤ21とを具え、該反射面41は、ＬＥＤ21から遠ざかるにつれてディスプレイ背面に接近する斜面領域を有し、該斜面領域には、ＬＥＤ21の光放射方向と平行であって且つディスプレイ背面と直交する断面の形状が三角歯状の凹凸面が形成されており、該凹凸面の凹凸のピッチがＬＥＤ21から遠ざかるにつれて小さくなっている。【選択図】      図４
2005129409.tif 000002
【特許請求の範囲】
【請求項１】
受光型のディスプレイの背面に光を照射するバックライト装置において、ディスプレイの背面と対向すべき反射面と、該反射面の一側方に配置されて該反射面に向けて光を放射する光源とを具え、該反射面は、光源から遠ざかるにつれてディスプレイの背面に接近する斜面領域を有し、該斜面領域には、光源の光放射方向と平行であって且つディスプレイの背面と直交する断面の形状が三角歯状の凹凸面が形成されており、該凹凸面の凹凸のピッチが光源から遠ざかるにつれて小さくなっていることを特徴とするバックライト装置。
【請求項２】
前記斜面領域は、円弧面によって形成されている請求項１に記載のバックライト装置。
【請求項３】
前記反射面の内、光源に近い領域は平坦な面に形成されている請求項１又は請求項２に記載のバックライト装置。
【請求項４】
ディスプレイの背面に向けて開口部(40)が形成されたフレーム部材(48)を具え、該フレーム部材(48)の開口部(40)の底面に前記反射面が形成され、該フレーム部材(48)の一方の端部に、前記光源が取り付けられている請求項１乃至請求項３の何れかに記載のバックライト装置。
【請求項５】
フレーム部材(48)には、前記反射面の内、光源から近い領域へ進行する光を絞るためのリブ(42)が突設されている請求項４に記載のバックライト装置。
【請求項６】
フレーム部材(48)には、光源から近い位置に、光源からの光をフレーム部材(48)の背面側へ逃がすための１或いは複数の孔(43)(44)が開設されている請求項４又は請求項５に記載のバックライト装置。
【請求項７】
フレーム部材(48)には、光源を設置するための受け部(46)が形成される共に、光源を受け部(46)に押圧するための押圧片(52)を具えた蓋部材(５)が固定されている請求項４乃至請求項６の何れかに記載のバックライト装置。
【発明の詳細な説明】
【技術分野】
【０００１】
本発明は、液晶ディスプレイ等の受光型ディスプレイを照明するバックライト装置に関するものである。
【背景技術】
【０００２】
液晶ディスプレイを具えた表示装置においては、液晶ディスプレイを照明するためのバックライトが必要であり、液晶ディスプレイを均一に照明するために種々のバックライトが提案されている。
ここで、光源として広く用いられているＬＥＤは高価なものであるため、出来るだけ少ない個数のＬＥＤによって光源を構成することが行なわれている。
【０００３】
例えば、液晶ディスプレイの背面(光照射面)の一側方にのみ光源を配備し、該光源から出射される光を波状反射面によって乱反射させて、液晶ディスプレイの背面側に向けて導くと共に、液晶ディスプレイの背面側に配置した拡散シートによって、前記乱反射された光を拡散させて、液晶ディスプレイの背面に照射するバックライト装置が提案されている(特許文献１)。
【特許文献１】特開平８−１６１９１８号公報
【発明の開示】
【発明が解決しようとする課題】
【０００４】
しかしながら、光照射面の一側方にのみ光源が配備されている上述のバックライト装置においては、光源からの光は乱反射と拡散によって光照射面の全域に拡がるものの、光照射面の内、光源から遠い領域は光源から近い領域に比べて照明が暗くならざるを得ない問題があった。
そこで本発明の目的は、ディスプレイの光照射面の全域を従来よりも均一な明るさで照明することが出来るバックライト装置を提供することである。
【課題を解決するための手段】
【０００５】
本発明に係るバックライト装置は、受光型ディスプレイの背面と対向すべき反射面と、該反射面の一側方に配置されて該反射面に向けて光を放射する光源とを具え、該反射面は、光源から遠ざかるにつれてディスプレイの背面に接近する斜面領域を有し、該斜面領域には、光源の光放射方向と平行であって且つディスプレイの背面と直交する断面の形状が三角歯状の凹凸面が形成されており、該凹凸面の凹凸のピッチが光源から遠ざかるにつれて小さくなっている。
【０００６】
上記本発明のバックライト装置においては、光源から放射される光が反射面にて反射されて、ディスプレイの背面に照射される。
ここで、反射面は、光源から遠ざかるにつれてディスプレイの背面までの距離が短くなっているので、光源から近い位置にて反射されてディスプレイの背面に達する光路の長さと、光源から遠い位置にて反射されてディスプレイの背面に達する光路の長さとの差が縮まることとなる。
【０００７】
又、反射面の傾斜領域に形成されている三角歯状の凹凸面は、凹凸のピッチが光源から遠ざかるにつれて小さくなっているので、光源から近い位置にて反射された光が比較的大きな拡散度(拡がり角度)でディスプレイの背面に向かって進行するのに対し、光源から遠い位置にて反射された光が比較的小さな拡散度(拡がり角度)でディスプレイの背面に向かって進行することとなり、ディスプレイの背面の内、光源から遠い領域には、光源から近い領域よりも収束度の高い光が照射されることになる。
この結果、ディスプレイの背面全域が従来よりも均一な明るさで照射されることになる。
【０００８】
具体的には、前記斜面領域は円弧面によって形成されている。これによって、ディスプレイの背面に照射される光の量の不連続的な変化を回避して、ディスプレイ背面に対する照明の明るさをより均一なものとすることが出来る。
【０００９】
更に具体的には、ディスプレイの背面に向けて開口部(40)が形成されたフレーム部材(48)を具え、該フレーム部材(48)の開口部(40)の底面に前記反射面が形成され、該フレーム部材(48)の一方の端部に、前記光源が取り付けられている。
そして、該フレーム部材(48)には、前記反射面の内、光源から近い領域へ進行する光を絞るためのリブ(42)が突設されている。
これによって、ディスプレイの背面の内、光源から近い領域に進む光の量が制限されて、該領域が過度に明るく照明されることが回避される。
【００１０】
又、前記フレーム部材(48)には、光源から近い位置に、光源からの光をフレーム部材(48)の背面側へ逃がすための１或いは複数の孔(43)(44)が開設されている。
これによって、ディスプレイの背面の内、光源から近い領域に向かって進む光の量が制限されて、該領域が過度に明るく照明されることが回避される。
【００１１】
更に具体的な構成において、フレーム部材(48)には、光源を設置するための受け部(46)が形成されると共に、光源を受け部(46)に押圧するための押圧片(52)を具えた蓋部材(５)が固定されている。
これによって、光源は、光軸を反射面に向けた所定の姿勢に確実に保持される。
【発明の効果】
【００１２】
本発明に係るバックライト装置によれば、一側方にのみ設けた光源によってディスプレイの光照射面全域を従来よりも均一な明るさで照明することが出来る。
【発明を実施するための最良の形態】
【００１３】
以下、本発明を液晶ディスプレイのバックライト装置に実施した形態につき、図面に沿って具体的に説明する。
本発明に係るバックライト装置は、図１に示す如くキャビネット(１)のフロントパネル(11)に表示窓(12)を具えたオーディオ機器に装備されるものであって、図２に示す如く、回路基板(６)上には、前記表示窓(12)に文字などを表示すべき表示装置(２)が設置されている。
表示装置(２)は、横長の液晶ディスプレイ(３)と、該液晶ディスプレイ(３)を照明する直方体状のバックライト(４)とを一体化したものであって、バックライト(４)の長手方向の一方の端部には、光源となる単一のＬＥＤ(21)が内蔵されている。
【００１４】
バックライト(４)は、図３に示す如く、白色の合成樹脂を一体成型してなる直方体状のフレーム部材(48)を具え、該フレーム部材(48)には、液晶ディスプレイ(３)に向かって開口する開口部(40)が凹設されている。
フレーム部材(48)の開口部(40)には、長手方向の一方の端部に、ＬＥＤ(21)の収容部(49)が形成されると共に、ＬＥＤ(21)から放射される光を液晶ディスプレイ(３)に向かって反射するための反射面(41)が形成されている。
そして、フレーム部材(48)には、反射面(41)に対向させて液晶ディスプレイ(３)が取り付けられると共に、ＬＥＤ収容部(49)を覆って蓋部材(５)が固定される。
【００１５】
又、フレーム部材(48)の開口部(40)には、ＬＥＤ(21)の近傍位置に、ＬＥＤ(21)からの光を絞るためのリブ(42)が液晶ディスプレイ(３)に向かって突設されると共に、リブ(42)の前後には、ＬＥＤ(21)からの光をフレーム部材(48)の背面側へ逃がすための孔(43)(44)が開設されている(図４参照)。
更に、フレーム部材(48)の側壁には、蓋部材(５)に突設された一対の係合部(51)(51)が係合すべき一対のフック(45)(45)が突設されている。
又、蓋部材(５)には、ＬＥＤ(21)をＬＥＤ収容部(49)に押し付けるための押圧片(52)が突設されている。
【００１６】
フレーム部材(48)の反射面(41)は、図４に示す如く、ＬＥＤ(21)から遠ざかるにつれて液晶ディスプレイ(３)の背面に接近する円弧面領域を有し、該円弧面領域には、ＬＥＤ(21)の光放射方向と平行であって且つ液晶ディスプレイ(３)の背面と直交する断面の形状が三角歯状の凹凸面が形成されており、該凹凸面の凹凸のピッチがＬＥＤ(21)から遠ざかるにつれて小さくなっている。
又、反射面(41)の内、ＬＥＤ(21)に近い領域には、凹凸のない平坦部(47)が形成されている。
【００１７】
ＬＥＤ(21)は、フレーム部材(48)に上向きに突設された受け部(46)と蓋部材(５)に下向きに突設された押圧片(52)の間に挟持されて、その光軸を反射面(41)に向けて水平に保持されており、該ＬＥＤ(21)から伸びる２本の脚(22)は、Ｌ字状に屈曲して、その先端部が回路基板(６)を貫通している。
【００１８】
図４に鎖線で示す様に、ＬＥＤ(21)から放射された光は、先ず反射面(41)に照射されて反射された後、液晶ディスプレイ(３)の背面に向かって進行し、該背面を照明する。
ここで、反射面(41)は、ＬＥＤ(21)から遠ざかるにつれて液晶ディスプレイ(３)の背面までの距離が短くなっているので、ＬＥＤ(21)から近い位置にて反射されてディスプレイ背面に達する光路の長さと、ＬＥＤ(21)から遠い位置にて反射されてディスプレイ背面に達する光路の長さとの差が縮まることとなる。
【００１９】
又、反射面(41)に形成されている三角歯状の凹凸面は、凹凸のピッチがＬＥＤ(21)から遠ざかるにつれて小さくなっているので、ＬＥＤ(21)から近い位置にて反射された光が比較的大きな拡散度(拡がり角度)でディスプレイ背面に向かって進行するのに対し、ＬＥＤ(21)から遠い位置にて反射された光が比較的小さな拡散度(拡がり角度)でディスプレイ背面に向かって進行することとなり、ディスプレイ背面の内、ＬＥＤ(21)から遠い領域には、ＬＥＤ(21)から近い領域よりも収束度の高い光が照射されることになる。
【００２０】
又、ＬＥＤ(21)から反射面(41)の近い領域へ向かって放射された光は、リブ(42)によって絞られて、光量が制限される共に、図中に鎖線で示す様に、孔(43)(44)を通過して、フレーム部材(48)の背面側へ逃げることとなり、これによって、液晶ディスプレイ(３)の背面の内、ＬＥＤ(21)から近い領域を照射すべき光の量が低減することになり、該領域が過度に明るく照明されることが回避される。
【００２１】
この結果、フレーム部材(48)の一方の端部にのみ設けた単一のＬＥＤ(21)によって液晶ディスプレイ(３)の背面全域を従来よりも均一な明るさで照明することが出来る。
【００２２】
尚、本発明の各部構成は上記実施の形態に限らず、特許請求の範囲に記載の技術的範囲内で種々の変形が可能である。例えば、フレーム部材(48)の反射面(41)は、円弧面に限らず、多角面に形成することも可能である。又、反射面(41)の凹凸のピッチは連続的に変化させる構成や段階的に変化させる構成を採ることが出来る。更に、反射面(41)を凹凸面に形成すると共に、該凹凸面を凹凸のピッチよりも更に細かい粗面によって形成することも有効である。
【図面の簡単な説明】
【００２３】
【図１】本発明に係るバックライト装置を装備すべきオーディオ機器の外観を示す斜視図である。
【図２】本発明に係るバックライト装置を具えた表示装置の斜視図である。
【図３】該表示装置の分解斜視図である。
【図４】該表示装置の拡大断面図である。
【符号の説明】
【００２４】
(２)  表示装置
(21)  ＬＥＤ
(３)  液晶ディスプレイ
(４)  バックライト
(40)  開口部
(41)  反射面
(42)  リブ
(43)  孔
(44)  孔
(48)  フレーム部材
(49)  ＬＥＤ収容部
(５)  蓋部材
(52)  押圧片
【図１】
2005129409.tif 000003
【図２】
2005129409.tif 000004
【図３】
2005129409.tif 000005
【図４】
2005129409.tif 000006